(57)【要約】【課題】電気部品が収容されたケースの組付け作業用開口に保護カバーが嵌合されたことを検知する信号配線の引出し穴に係る構造を簡単化する。【解決手段】本発明の保護カバー構造は、電気部品が収容されるケース１の壁面に設けられた組付け作業用開口１０に嵌合して該開口を塞ぐ保護カバー１１と、組付け作業用開口に保護カバーが嵌合されたことを検知する嵌合検知コネクタ１５とを備えてなり、嵌合検知コネクタ１５は、ケース内部に固定して設けられた受コネクタ１６と、該受コネクタに対向させて互いに挿脱可能に保護カバーに設けられた挿脱コネクタ１７とからなり、受コネクタ１６は、嵌合検知導体１９ａ、ｂを筒状のハウジング内に収容して形成され、挿脱コネクタ１７は、嵌合検知導体１９ａ、ｂに導通可能な一対の検知電極２０ａ、ｂを保持して保護カバーに一体成形されてなることを特徴とする。【選択図】  図１
2015028848.tif 000002
【特許請求の範囲】
【請求項１】
電気部品が収容されるケースの壁面に設けられた組付け作業用開口に嵌合して該開口を塞ぐ保護カバーと、前記組付け作業用開口に前記保護カバーが嵌合されたことを検知する嵌合検知コネクタとを備えてなり、
前記嵌合検知コネクタは、前記ケース内部に固定して設けられた受コネクタと、該受コネクタに対向させて互いに挿脱可能に前記保護カバーに設けられた挿脱コネクタとからなり、前記受コネクタは、嵌合検知導体を筒状のハウジング内に収容して形成され、前記挿脱コネクタは、前記嵌合検知導体に導通可能な一対の検知電極を保持して前記保護カバーに一体成形されてなる保護カバー構造。
【請求項２】
前記挿脱コネクタは、前記一対の検知電極が筒状のハウジング空間の長手方向を仕切って設けられたフード部に保持され、前記一対の検知電極に接続され前記フード部から引き出された一対の検知端子が収容されたハウジングを備え、
前記挿脱コネクタの前記ハウジングは、前記一対の検知端子に着脱可能に接続される信号配線コネクタが挿脱可能に形成されていることを特徴とする請求項１に記載の保護カバー構造。
【発明の詳細な説明】
【技術分野】
【０００１】
本発明は、保護カバー構造に係り、具体的には、電気部品が収容されたケースの壁面に形成された組付け作業用開口を塞ぐ保護カバー構造に関する。
【背景技術】
【０００２】
防塵、防水又は電磁波遮蔽のために、電気部品を防塵、防水又は電磁波遮蔽を施したケースに収容してなる電気装置が知られている。例えば、特許文献１に記載されているように、電気自動車を駆動するモータにインバータから駆動電力を供給する電気装置が知られている。これによれば、例えば、インバータが収容された電磁波遮蔽ケース（シールドケース）に組付け作業用の開口（以下、組付け作業用開口という。）を設け、その組付け作業用開口を利用してモータに接続されたコネクタの導体端子をインバータの回路導体に、ボルトなどを用いて締結する構造が開示されている。
【０００３】
特に、コネクタの導体端子をインバータの回路導体に締結するための組付け作業用開口は、作業性を考慮して比較的大きく形成される。この組付け作業用開口は、作業終了後に安全性を考慮して絶縁性の保護カバーにより塞ぐ必要がある。また、特許文献１では、保護カバーにインターロック部を設け、保護カバーを組付け作業用開口に嵌合させた後に、インターロック部の作用によって例えばインバータの運転を開始可能にしている。
【先行技術文献】
【特許文献】
【０００４】
【特許文献１】特開２０１１−１２４０６２号公報
【発明の開示】
【発明が解決しようとする課題】
【０００５】
しかし、特許文献１には、インターロック部の詳細な構成については記載されていない。例えば、保護カバーの内側にショートピンを設け、そのショートピンに対向させてケース側に嵌合検知コネクタを設け、保護カバーを組付け作業用開口に嵌合したときに、保護カバーのショートピンにより嵌合検知回路が閉じるように構成することができる。そして、嵌合検知回路の閉動作を嵌合検知信号としてインバータ制御装置に入力し、運転を開始するインターロック機構を形成することが考えられる。
【０００６】
嵌合検知信号は、信号配線によりインバータ制御装置に伝送されるが、例えば、インバータ制御装置がインバータのシールドケース内に設けられていれば、嵌合検知回路に信号配線を接続して、シールドケース内で配索すればよい。しかし、インバータ制御装置がインバータのシールドケース外に設けられる場合は、シールドケースから信号配線を引き出す（又は、シールドケースに引き込む）必要がある。そのため、シールドケースに信号配線の引出し穴を明けなければならない。そのため、信号配線の引出し穴の防水、防塵等を講じなければならない。
【０００７】
本発明が解決しようとする課題は、電気部品が収容されたケースの組付け作業用開口に保護カバーが嵌合されたことを検知する信号配線の引出し穴に係る構造を簡単化することにある。
【課題を解決するための手段】
【０００８】
上記の課題を解決するため、本発明の保護カバー構造は、電気部品が収容されるケースの壁面に設けられた組付け作業用開口に嵌合して該開口を塞ぐ保護カバーと、前記組付け作業用開口に前記保護カバーが嵌合されたことを検知する嵌合検知コネクタとを備えてなり、前記嵌合検知コネクタは、前記ケース内部に固定して設けられた受コネクタと、該受コネクタに対向させて互いに挿脱可能に前記保護カバーに設けられた挿脱コネクタとからなり、前記受コネクタは、嵌合検知導体を筒状のハウジング内に収容して形成され、前記挿脱コネクタは、前記嵌合検知導体に導通可能な一対の検知電極を保持して前記保護カバーに一体成形されてなることを特徴とする。
【０００９】
本発明によれば、組付け作業用開口に保護カバーが嵌合されたことを検知する嵌合検知コネクタを、受コネクタと挿脱コネクタに分け、受コネクタを筒状のハウジング内に収容して形成し、挿脱コネクタを保護カバーに設けて構成したことから、受コネクタと挿脱コネクタの位置合わせをしながら保護カバーを組付け作業用開口に嵌合することにより、自ずと挿脱コネクタが受コネクタに嵌合される。この嵌合により、挿脱コネクタの一対の検知電極が受コネクタの嵌合検知導体に導通することによって、その一対の検知電極も互いに導通する。したがって、挿脱コネクタの一対の検知電極に信号配線を接続することにより、信号配線の引出し穴をケースの壁に設けることなく、組付け作業用開口に嵌合される保護カバーを介して外部に容易に引き出すことができる。
【００１０】
この場合において、前記挿脱コネクタは、前記一対の検知電極が筒状のハウジング空間の長手方向を仕切って設けられたフード部に保持され、前記一対の検知電極に接続され前記フード部から引き出された一対の検知端子が収容されたハウジングを備え、前記挿脱コネクタの前記筒状部は、前記一対の検知端子に着脱可能に接続される信号配線コネクタが挿脱可能に形成されているものとすることができる。これによれば、挿脱コネクタのフード部によってケースの防水及び防塵を図ることができる。また、保護カバーと組付け作業用開口との嵌合部の防水及び防塵は、パッキンにより行うことができる。
【発明の効果】
【００１１】
本発明によれば、電気部品が収容されたケースの組付け作業用開口に保護カバーが嵌合されたことを検知する信号配線の引出し穴に係る構造を簡単化することができる。
【図面の簡単な説明】
【００１２】
【図１】本発明の電気装置の一実施例の要部を断面にして示す図である。
【図２】図１実施例の組み立て手順を説明する図であり、（ａ）は図１と同一位置における断面図、（ｂ）は図１の矢視ＩＩｂ−ＩＩｂから見た断面矢視図である。
【図３】図１実施例の組み立て手順を説明する外観図であり、（ａ）は保護カバーを取り付ける前の状態を示し、（ｂ）は保護カバーを取り付けた状態を示す図である。
【図４】嵌合検知の信号配線コネクタの一実施例を示す図であり、（ａ）は信号配線コネクタと嵌合検知コネクタの嵌合前の状態を示し、（ｂ）は嵌合状態を示し、（ｃ）は嵌合後の断面を示す。
【発明を実施するための形態】
【００１３】
以下、本発明の電気部品装置を図１〜図４に示した一実施例に基づいて説明する。本実施例は、電源分配器に本発明を適用したものであり、それらの図は本実施例の要部を示す図である。本発明は、電源分配器に限らず、ケースに収容されたインバータ等の電気部品の内部導体に外部から挿入される外部導体を接続する作業を、ケースの壁面に設けた組付け作業用開口の外から締結部材により行う構成の電気装置に適用できる。特に、組付け作業の終了時に、保護カバーが組付け作業用開口に嵌合されたことを検知する嵌合検知機構を備えてなる電気装置に適用できる。
【００１４】
本実施例の電源分配器は、図１〜図３に示すように、樹脂製等のケース１を備えて形成されている。本実施例のケース１は直方体の箱状に形成されているが、ケース１の形状は本実施例に限られるものではない。ケース１内には図示していない電気部品である電源分配回路部品が収容されている。また、図示していない電源分配回路部品には、内部導体である一対のバスバー２が接続されている。各バスバー２には、図示していないが貫通穴が形成され、各貫通穴の図において右側に被締結部材に相当するナット３が固定して設けられている。また、ケース１の上壁面には開口４が形成され、この開口４には、図示していない電源に接続された外部コネクタ５の端子保持部６が挿入されて装着されるようになっている。なお、図示していないが、外部コネクタ５と開口４との装着部は、防水パッキンなどにより水密に装着されるようになっている。
【００１５】
外部コネクタ５の端子保持部６の下面から外部導体である一対のコネクタ端子７が垂下して設けられている。各コネクタ端子７には締結部材であるボルト８が挿通される貫通穴が形成されている。そして、ボルト８をナット３に螺合することによって、各バスバー２と各コネクタ端子７とを締結して電気的に接続するようになっている。
【００１６】
各バスバー２と各コネクタ端子７の締結部に対向するケース１の壁面に、組付け作業用開口１０が形成されている。この組付け作業用開口１０から、ボルト８を各バスバー２と各コネクタ端子７の各貫通穴に挿入してナット３に螺合することにより、それらを締結する作業が行えるようになっている。また、組付け作業用開口１０には、誤って各バスバー２や各コネクタ端子７に工具等が触れてショート等して故障したり、あるいは防水のために、絶縁樹脂からなる保護カバー１１が装着されるようになっている。
【００１７】
組付け作業用開口１０は、図３（ａ）に示すように円形の開口に形成されている。これに合わせて保護カバー１１は、円筒状の挿入部１２と、挿入部１２の連設された菱形状のフランジ１３を備えて形成されている。挿入部１２の外周面に形成された溝内に、防水用のリングパッキン１４が装着されている。そして、保護カバー１１の図において下部に、保護カバー１１が組付け作業用開口１０に装着されたことを検知する嵌合検知コネクタ１５が設けられている。
【００１８】
嵌合検知コネクタ１５は、互いに嵌合可能な一対のコネクタにより形成されている。つまり、ケース１の内部に固定して設けられた受コネクタ１６と、受コネクタ１６に対向させて互いに挿脱可能に保護カバー１１に設けられた挿脱コネクタ１７とから形成されている。受コネクタ１６は、筒状のハウジング１８内の軸方向にピン状の一対の嵌合検知導体１９ａ、ｂが収容され、挿脱コネクタ１７が挿脱される側の先端が開口されている。挿脱コネクタ１７は、保護カバー１１の挿入部１２に一体に形成されている。挿脱コネクタ１７は、筒状のハウジング２１の空間の長手方向を仕切って設けられたフード部２１aにインサート成形された一対の検知電極２０ａ，ｂと、フード部２１aにおいて一対の検知電極２０ａ，ｂに連結された一対の検知端子２２ａ、２２ｂを備えて形成されている。フード部２１ａから引き出された一対の検知端子２２ａ、２２ｂは、先端が開口された筒状のハウジング２１内に保持されている。すなわち、一対の検知電極２０ａ，ｂの一端は、挿脱コネクタ１７の筒状のハウジング部２１に形成された空間部に位置された外部端子２２ａ、ｂに接続されている。外部端子２２ａ、ｂには、ハウジング部２１の先端開口に、図４に示す信号配線コネクタ３０が被冠されることによって、信号配線コネクタ３０に収容された端子が接続されるようになっている。そして、それらの端子に接続された電線３２を介して、嵌合検知信号が引き出されるようになっている。すなわち、保護カバー１１を図２（ａ）に示すように組付け作業用開口１０に嵌合すると、挿脱コネクタ１７が受コネクタ１６に嵌合される。これにより、一対の検知電極２０ａ，ｂが嵌合検知導体１９ａ、ｂにより導通され、その導通信号が嵌合検知信号として外部端子２２ａ、ｂから外部に引き出されるようになっている。
【００１９】
すなわち、図４（ａ）に示すように、信号配線コネクタ３０は挿脱コネクタ１７のハウジング２１の外周面に被冠されるフード部３１を備えている。フード部３１内には信号配線が接続される一対の配線端子が収容され、その一対の配線端子は信号配線コネクタ３０をハウジング２１に嵌合することによって、一対の検知端子である外部端子２２ａ、ｂに接続されるようになっている。
【００２０】
受コネクタ１６の一対の嵌合検知導体１９ａ、ｂが収容されたハウジング１８の基部は、図２（ｂ）に示すように、角筒状に形成された受コネクタ保持部材２３に装着されている。受コネクタ１６は、受コネクタ保持部材２３の上面に張り出して形成された支持片２３ａを、ケース１の内部の側壁に固定された支持部材２４にボルト２５により固定して支持されている。また、受コネクタ保持部材２３には、図１，図２（ａ）、（ｂ）に示すように、一対のバスバー２と一対のコネクタ端子７の下方に張り出して張出部２３ｂが形成されている。
【００２１】
このように構成される本実施例によれば、図１〜図４において、受コネクタ１６を支持部材２４に固定し、コネクタ端子７をバスバー２に位置合せしながら外部コネクタ５をケース１に装着する。そして、組付け作業用開口１０からボルト８を挿入してコネクタ端子７とバスバー２の貫通穴に挿し込み、ナット３にボルト８を螺合して締め付ける。これにより、コネクタ端子７とバスバー２を共締めにより締結することができる。この締結時に、仮に、ボルト８が落下しても張出部２３ｂによって受け止められ、ケース１の底にまで落下しないので、容易に回収することができる。コネクタ端子７とバスバー２を締結後、保護カバー１１を組付け作業用開口１０に嵌合すると同時に、挿脱コネクタ１７を受コネクタ１６に嵌合させる。そして、図３（ａ）、（ｂ）に示すように、フランジ１３をケース１の外壁に形成された有底のネジ孔２６にボルト２７を螺入して、保護カバー１１をケース１に固定する。また、保護カバー１１が組付け作業用開口１０に嵌合されると、嵌合検知コネクタ１５の外部端子２２ａ、ｂから嵌合検知信号が、信号配線コネクタ３０を介して、例えば電源側に出力される。これにより、安全を確認したうえで本実施例の電源分配器に電源の供給が許容される。
【００２２】
以上説明したように、本実施例によれば、保護カバー１１が締結用開口１０に装着されたことを検知する嵌合検知コネクタ１５の受コネクタ１６を、組付け作業用開口に保護カバーが嵌合されたことを検知する嵌合検知コネクタ１５を、受コネクタ１６と挿脱コネクタ１７に分け、受コネクタ１６を筒状のハウジング１８内に収容して形成し、挿脱コネクタ１７を保護カバー１１に設けて構成したことから、受コネクタ１６と挿脱コネクタ１７の位置合わせをしながら保護カバー１１を組付け作業用開口１０に嵌合することにより、自ずと挿脱コネクタ１７が受コネクタ１６に嵌合される。この嵌合により、挿脱コネクタ１７の一対の検知電極２０ａ，ｂが受コネクタ１６の一対の嵌合検知導体１９ａ，ｂに導通する。これにより、一対の検知電極２０ａ，ｂも互いに導通するから、挿脱コネクタ１７の一対の外部端子２２ａ，ｂに信号配線コネクタ３０を介して信号配線を接続することにより、信号配線の引出し穴をケースの壁に設けることなく、組付け作業用開口１０に嵌合される保護カバー１１を介して外部に容易に引き出すことができる。
【００２３】
また、本実施例によれば、挿脱コネクタ１７のフード部２１ａによってケース１の防水及び防塵を図ることができる。また、保護カバー１１と組付け作業用開口１０との嵌合部の防水及び防塵は、パッキン１４により行うことができる。
【００２４】
以上、本発明を一実施例に基づいて説明したが、本発明はこれらに限定されるものではなく、本発明の主旨の範囲で変形又は変更された形態で実施することが可能であることは、当業者にあっては明白なことであり、そのような変形又は変更された形態が本願の特許請求の範囲に属することは当然のことである。
【符号の説明】
【００２５】
１  ケース
２  バスバー
３  ナット
５  外部コネクタ
７  コネクタ端子
８  ボルト
１０  組付け作業用開口
１１  保護カバー
１５  嵌合検知コネクタ
１６  受コネクタ
１７  挿脱コネクタ
１８  ハウジング
１９ａ、ｂ  嵌合検知導体
２０ａ，ｂ  検知電極
２１  ハウジング
２１ａ  フード部
２２ａ，ｂ  外部端子
２３  受コネクタ保持部材
３０  信号配線コネクタ
【図１】
2015028848.tif 000003
【図２】
2015028848.tif 000004
【図３】
2015028848.tif 000005
【図４】
2015028848.tif 000006